(57)【要約】【課題】損壊し易い突形の実部が無く、また施工も容易なタイルパネル及びその施工構造を提供する。【解決手段】タイルパネル１０は、下地板１１に複数のタイル１２を接着剤１３を介して張り付けたものである。タイル１２同士は均一な目地間隔を介して整列配置されている。タイルパネル１０の全周にわたって、木端面に凹条１１ａが設けられている。タイルパネル１０同士の間に目地材２０を介在させ、該目地材２０の凸条２２を凹条１１ａに嵌合させつつ、突き付けられて床や壁に施工される。目地材２０の板状部２１はタイルパネル１０の木端面同士の間に挟まれている。目地材２０は、タイル１２の前面よりも目地間に後退しているが、タイル１２，１２間に挟まれている。【選択図】図１
2009035934.tif 000002
【特許請求の範囲】
【請求項１】
方形の下地板の前面に１枚又は複数枚のタイルが目地間隔をあけて整列状態にて付着されてなるタイルパネルにおいて、
該下地板の４個の木端面にあっては、該下地板の厚み方向の途中に、該タイルパネルを周回する凹条が設けられていることを特徴とするタイルパネル。
【請求項２】
複数枚の請求項１のタイルパネルを、タイルパネル同士の間に目地材を介在させて突き合わせて配置したタイルパネル施工構造において、
該目地材は、隣接する各タイルパネルの前記凹条に嵌合した凸条を有することを特徴とするタイルパネル施工構造。
【請求項３】
方形の下地板の前面に１枚又は複数枚のタイルが目地間隔をあけて整列状態にて付着されてなるタイルパネルにおいて、
該下地板の隣接する第１及び第２の木端面にあっては、該下地板の厚み方向の途中に、各木端面の全長にわたって延在する凹条が設けられており、
該下地板の他の第３及び第４の木端面にあっては、下地板の裏面側の角縁に、各木端面の全長にわたって延在する切欠状の段部が設けられていることを特徴とするタイルパネル。
【請求項４】
複数枚の請求項３のタイルパネルを、タイルパネル同士の間に目地材を介在させて、且つ、タイルパネルの第１又は第２の木端面が隣接するタイルパネルの第３又は第４の木端面に対峙するように付き合わせて配置したタイルパネル施工構造において、
該目地材は、一方の該タイルパネルの前記凹条に嵌合した凸条と、他方の該タイルパネルの前記段部に係合した張出部とを有することを特徴とするタイルパネル施工構造。
【請求項５】
請求項２又は４において、前記目地材は弾力性を有した合成樹脂又はゴム製であることを特徴とするタイルパネル施工構造。
【発明の詳細な説明】
【技術分野】
【０００１】
本発明は、タイルパネルに係り、詳しくは、方形の下地板の前面に１枚又は複数枚のタイルが目地間隔をあけて整列状態にて付着されてなるタイルパネルに関する。
【背景技術】
【０００２】
方形の下地板の前面に複数枚のタイルが目地間隔をあけて整列状態にて付着されてなるタイルパネルは、特開平６−１０８６１４号に見られるように周知である。
【０００３】
この特開平６−１０８６１４のタイルパネルにあっては、複数枚のタイルパネルを突き付けて床や壁に施工すると、この突き付け部分においても目地間隙が形成される。この目地間隙に目地材を充填することにより、タイル仕上げされた床や壁が構築される。
【０００４】
特開２００２−１２９７３２には、下地板（同号では基板と称している。）の木端面に実（さね）部を設け、隣接するタイルパネルの実部同士を係合させるタイルパネル施工構造が記載されている。
【特許文献１】特開平６−１０８６１４
【特許文献２】特開２００２−１２９７３２
【発明の開示】
【発明が解決しようとする課題】
【０００５】
上記特開平６−１０８６１４のタイルパネルは、突き付けた後に目地材を充填する必要があり、施工に手間がかかる。
【０００６】
特開２００２−１２９７３２の実部は、下地板の木端面から突出する形状であるため、運搬中や施工途中で欠損し易い。また、下地板の繋ぎ目を隠すためにコーキングなどが必要となり、同様に施工に手間がかかる。
【０００７】
本発明は、このような問題点を解決し、損壊し易い突形の実部が無く、また施工も容易なタイルパネル及びその施工構造を提供することを目的とする。
【課題を解決するための手段】
【０００８】
請求項１のタイルパネルは、方形の下地板の前面に１枚又は複数枚のタイルが目地間隔をあけて整列状態にて付着されてなるタイルパネルにおいて、該下地板の４個の木端面にあっては、該下地板の厚み方向の途中に、該タイルパネルを周回する凹条が設けられていることを特徴とするものである。
【０００９】
請求項２のタイルパネル施工構造は、複数枚の請求項１のタイルパネルを、タイルパネル同士の間に目地材を介在させて突き合わせて配置したタイルパネル施工構造において、該目地材は、隣接する各タイルパネルの前記凹条に嵌合した凸条を有することを特徴とするものである。
【００１０】
請求項３のタイルパネルは、方形の下地板の前面に１枚又は複数枚のタイルが目地間隔をあけて整列状態にて付着されてなるタイルパネルにおいて、該下地板の隣接する第１及び第２の木端面にあっては、該下地板の厚み方向の途中に、各木端面の全長にわたって延在する凹条が設けられており、該下地板の他の第３及び第４の木端面にあっては、下地板の裏面側の角縁に、各木端面の全長にわたって延在する切欠状の段部が設けられていることを特徴とするものである。
【００１１】
請求項４のタイルパネル施工構造は、複数枚の請求項３のタイルパネルを、タイルパネル同士の間に目地材を介在させて、且つ、タイルパネルの第１又は第２の木端面が隣接するタイルパネルの第３又は第４の木端面に対峙するように付き合わせて配置したタイルパネル施工構造において、該目地材は、一方の該タイルパネルの前記凹条に嵌合した凸条と、他方の該タイルパネルの前記段部に係合した張出部とを有することを特徴とするものである。
【００１２】
請求項５のタイルパネル施工構造は、請求項２又は４において、前記目地材は弾力性を有した合成樹脂又はゴム製であることを特徴とするものである。
【発明の効果】
【００１３】
請求項１，３のタイルパネルは、いずれも突形の実部がなく、実部が損壊することがない。
【００１４】
請求項１のタイルパネルにあっては、下地板の全周にわたって木端面に凹条が設けられている。このタイルパネルは、請求項２の通り、隣接するタイルパネルの該凹条に嵌合する凸条を有した目地材を介在させて突き付け施工される。施工後に目地材を充填することは不要である。
【００１５】
請求項３のタイルパネルは、請求項４の通り、凸条を一方のタイルパネルの木端面の凹条に嵌合させ、張出部を他方のタイルパネルの木端面の段部に係合させて突き付け施工される。この場合も、施工後に目地材を充填することは不要である。
【発明を実施するための最良の形態】
【００１６】
以下、図面を参照して実施の形態について説明する。第１図は実施の形態に係るタイルパネルの端部の厚み方向の断面図であり、（ａ）図はタイルパネル同士の連結前の状態を示し、（ｂ）図はタイルパネル同士の連結状態を示している。第２図は実施の形態に係るタイルパネルの厚み方向の断面図である。
【００１７】
この実施の形態に係るタイルパネル１０は、下地板１１に複数のタイル１２を接着剤１３を介して張り付けたものである。タイル１２同士は均一な目地間隔を介して整列配置されており、目地には目地材１４が充填されている。目地材１４は通常目地材でも、介在させる弾性目地材のどちらでも良い。
【００１８】
下地板１１は方形（正方形又は長方形）であり、下地板１１の全周にわたって、木端面に凹条１１ａが設けられている。凹条１１ａは、下地板１１の厚み方向の中間位置に設けられている。凹条１１ａは、木端面から垂直に凹陥する方形断面形状のものである。
【００１９】
下地板１１としては、セメント系ボード、木質板、樹脂系ボードなど各種材料よりなるものを用いることができる。下地板１１の木端面とタイル１２の木端面とは面一状となっている。このタイルパネル１０は、木端面から突出する実部がなく、運搬中や施工時における実部の損壊がない。
【００２０】
このタイルパネル１０同士の間に介在される目地材２０は、板状部２１と、該板状部２１の両板面から突出する凸条２２とを有した十字形断面形状のものである。凸条２２の厚みは、凹条１１ａの開口幅と同一かごくわずか小さいものとなっている。凸条２２は、目地材２０の長手方向の全長にわたって設けられている。この目地材２０は、ＥＰＤＭなど、弾力性を有したゴム、合成樹脂などよりなる。
【００２１】
このように構成されたタイルパネル１０は、第１図（ｂ）の通り、タイルパネル１０同士の間に目地材２０を介在させ、該目地材２０の凸条２２を凹条１１ａに嵌合させつつ、突き付けられて床や壁に施工される。目地材２０の板状部２１はタイルパネル１０の木端面同士の間に挟まれている。目地材２０の板状部２１は、タイル１２の前面よりも目地内に後退しているが、タイル１２，１２間に挟まれている。このようにして、タイルパネル１０間に目地材２０を介在させてなる、タイル仕上げされた床又は壁が構築される。
【００２２】
目地材２０の板状部２１の両側に凸条２２，２２が設けられ、各凸部２２，２２が各タイルパネル１０，１０の凹条１１ａ，１１ａに嵌合しているので、施工後にタイルパネル１０，１０の間隔が若干開いたとしても、壁の前方又は床の上方からタイルパネルの裏側が透けて見えることはない。また、板状部２１の両側の凸条２２をそれぞれ凹条１１ａに係合させているため、タイルパネル１０，１０の不陸も防止ないし抑制される。また、凸条２２と凹条１１ａとを嵌合させたことにより、床に施工した場合でもきしみが防止される。
【００２３】
第３，４図を参照して別の実施の形態について説明する。第３図はこの実施の形態に係るタイルパネルの端部の厚み方向の断面図であり、（ａ）図はタイルパネル同士の連結前の状態を示し、（ｂ）図はタイルパネル同士の連結状態を示している。第４図はこの実施の形態に係るタイルパネルの厚み方向の断面図である。
【００２４】
上記実施の形態では、タイルパネル１０の全周に凹条１１ａを設けるものとしているが、第３，４図のタイルパネル１０Ａでは、隣接する２辺（第３及び第４の辺）の木端面のうち下地板１１の裏面側の角縁に切欠状の凹段部１１ｂを設けている。段部１１ｂは第３，第４の辺の全長にわたって延在している。
【００２５】
下地板１１の残りの第１，第２の辺の木端面にあっては前記タイルパネル１０と同様の凹条１１ａを設けておく。凹条１１ａは第１，第２の辺の全長にわたって延在している。
【００２６】
このタイルパネル１０Ａの施工に際しては、タイルパネル１０Ａの間に目地材３０を介在させる。この目地材３０は、板状部３１と、板状部３１の一方の板面から突出する凸条３２と、他方の板面のタイルパネル裏面側の端辺から凸条３２と反対方向に突出する張出部３３とを有する。凸条３２及び張出部３３は目地材３０の長手方向の全長にわたって延在している。
【００２７】
この第３，４図のタイルパネル１０Ａのその他の構成は第１図と同一であり、同一符号は同一部分を示している。このタイルパネル１０Ａも、第３図（ｂ）のように、第３図の左側のタイルパネル１０Ａの第１又は第２の辺の木端面と、右側のタイルパネル１０Ａの第３又は第４の辺の木端面とが、目地材３０を介在させて突き合わされる。この際、凸条３２が凹条１１ａに嵌合し、張出部３３が段部１１ｂに係合する。この実施の形態でも上記実施の形態と同様の作用効果が奏される。
【００２８】
なお、上記のタイルパネル１０、１０Ａの施工を行うに際しては、タイルパネル１０又は１０Ａを壁又は床に施工してから目地材２０又は３０を装着してもよく、予め目地材２０又は３０をタイルパネル１０又は１０Ａに装着しておいてからタイルパネル１０又は１０Ａを壁又は床に施工してもよい。
【図面の簡単な説明】
【００２９】
【図１】実施の形態に係るタイルパネルの端部の断面図である。
【図２】図１のタイルパネルの全体断面図である。
【図３】別の実施の形態に係るタイルパネルの端部の断面図である。
【図４】図３のタイルパネルの全体断面図である。
【符号の説明】
【００３０】
１０，１０Ａ  タイルパネル
１１  下地板
１２  タイル
１３  接着剤
２０，３０  目地材
２１，３１  板状部
２２，３２  凸条
３３  張出部
【図１】
2009035934.tif 000003
【図２】
2009035934.tif 000004
【図３】
2009035934.tif 000005
【図４】
2009035934.tif 000006